(57)【要約】【課題】柱材間に壁材を簡便な作業で積重することができ、しかも、木材資源の無用な消費を抑制できる木製構造物における柱材と壁材との連結構造を提供する。【解決手段】側面に高さ方向に沿って凹設された装着溝１３を有し、夫々の前記装着溝１３が対向するように離間して立設された複数の木製の柱材１０と、端面に高さ方向に沿って凹設されると共に少なくとも上面側にて開放された装着溝２３を有し、前記各柱材１０間に積重された複数の木製の壁材２０と、一端側に、前記柱材１０の装着溝１３に装着された柱材側装着部５１を有し、他端側に、前記壁材２０の装着溝２３に装着された壁材側装着部５２を有し、柱材１０と壁材２０とを連結する連結部材５０とを備える。【選択図】図２
2005068841.tif 000002
【特許請求の範囲】
【請求項１】
側面に高さ方向に沿って凹設された装着溝を有し、夫々の前記装着溝が対向するように離間して立設された複数の木製の柱材と、
端面に高さ方向に沿って凹設されると共に少なくとも上面側にて開放された装着溝を有し、前記各柱材間に積重された複数の木製の壁材と、
一端側に、前記柱材の装着溝に装着された柱材側装着部を有し、他端側に、前記壁材の装着溝に装着された壁材側装着部を有し、柱材と壁材とを連結する連結部材と
を備えることを特徴とする木製構造物における柱材と壁材との連結構造。
【請求項２】
前記柱材の装着溝及び前記壁材の装着溝は、夫々、アリ溝状に形成されており、前記連結部材の柱材側装着部及び壁材側装着部は、夫々、柱材の装着溝または壁材の装着溝にアリ嵌合するアリ状に形成されていることを特徴とする請求項１に記載の木製構造物における柱材と壁材との連結構造。
【請求項３】
前記壁材の装着溝は、壁材の下面側にて閉塞されていることを特徴とする請求項１または請求項２に記載の木製構造物における柱材と壁材との連結構造。
【請求項４】
前記柱材は、高さ方向に延設された案内部を有し、前記壁材は、前記案内部と係合して柱材及び壁材の各装着溝を位置合わせする係合部を有することを特徴とする請求項１から請求項３までのいずれか１つに記載の木製構造物における柱材と壁材との連結構造。
【請求項５】
前記壁材は、高さ方向に少なくとも二つの木製部材が組み付けられてなり、該壁材の前記装着溝は、高さ方向に組み付けられた複数の木製部材に渡って形成されていることを特徴とする請求項１から請求項４までのいずれか１つに記載の木製構造物における柱材と壁材との連結構造。
【発明の詳細な説明】
【技術分野】
【０００１】
本発明は、木製構造物の連結構造に関するものであり、詳しくは、離間して立設された複数の木製の柱材と、各柱材間に積重された複数の木製の壁材とを有する木製構造物における前記柱材と前記壁材との連結構造に関するものである。
【背景技術】
【０００２】
ログハウスや木造住宅等の木製建築物、カウンターや間仕切り等の木製屋内設備、遊具や柵等の木製屋外設備、或は木製家具等、各種の木製構造物の中には、構成材として、離間して立設された複数の木製の柱材と、各柱材間に積重された複数の木製の壁材とを有するものがある。そして、このような木製構造物では、従来、柱材と壁材とを連結するために、例えば図６に示すような連結構造が採用されていた。この連結構造は、具体的に、柱材１１０の側面に柱材１１０の高さ方向に沿って凹設されたホゾ溝１１１に、壁材１２０の端面に設けられたホゾ１２１を挿嵌し、これにより、柱材１１０と壁材１２０とを連結するものである。そして、このような連結構造では、柱材１１０間に複数の壁材１２０を積重するに際して、壁材１２０のホゾ１２１を、ホゾ溝１１１が開放された柱材１１０の上端から挿嵌して、ホゾ溝１１１に沿ってホゾ１２１をスライドさせて壁材１２０を下降させ、複数の壁材１２０を順次、積重していた。
【０００３】
上記従来技術は、一般的な事項であり、本出願人は、本願出願時において、この従来技術を特定する文献を特に知見していない。
【発明の開示】
【発明が解決しようとする課題】
【０００４】
上述した従来の連結構造では、柱材のホゾ溝に壁材のホゾを挿嵌した状態のまま、壁材を柱材の上方から下降させなければならず、柱材間に壁材を積重するに際しての作業が煩雑であった。特に、壁材のホゾは、柱材のホゾ溝に、僅かなクリアランスが確保された状態や、場合によってはクリアランスのない圧入状態で挿嵌されるのが通常である。何故ならば、ホゾとホゾ溝との間のクリアランスを大きく設定すると、柱材間に取り付けられた壁材に大きなガタツキを生じてしまうからである。よって、壁材のホゾが柱材のホゾ溝に挿嵌されている状態で壁材を移動させるには、ホゾがホゾ溝内でこじれないように壁材の姿勢を正確に保持しつつ壁材を移動させたり、壁材を下降させるために多大な労力を必要とし、この点からも、柱材間に壁材を積重するに際しての作業が煩雑であった。
【０００５】
また、従来の連結構造は、壁材の端面にホゾを備えるものであることから、壁材の材料として、各柱材の対向する側面間の距離、すなわち実際の壁となる壁幅の寸法よりもホゾの分だけ長い木材を必要とする。よって、木材資源の無用な消費を余儀なくされるものでもあった。
【０００６】
本発明は、上記実状を鑑みてなされたものであり、柱材間に壁材を簡便な作業で積重することができ、しかも、木材資源の無用な消費を抑制できる木製構造物における柱材と壁材との連結構造の提供を課題とする。
【課題を解決するための手段】
【０００７】
上記課題を解決するための主要な手段は、
「側面に高さ方向に沿って凹設された装着溝を有し、夫々の前記装着溝が対向するように離間して立設された複数の木製の柱材と、
端面に高さ方向に沿って凹設されると共に少なくとも上面側にて開放された装着溝を有し、前記各柱材間に積重された複数の木製の壁材と、
一端側に、前記柱材の装着溝に装着された柱材側装着部を有し、他端側に、前記壁材の装着溝に装着された壁材側装着部を有し、柱材と壁材とを連結する連結部材と
を備えることを特徴とする木製構造物における柱材と壁材との連結構造」
である。
【０００８】
このように構成された連結構造では、柱材の側面と壁材の端面とを直接的に連結せず、連結部材を介して連結するものである。よって、柱材間に壁材を配置するに際して、従来の連結構造のように、柱材のホゾ溝に壁材のホゾを挿嵌した状態のままで壁材を柱材の上方から下降させる必要がなく、柱材間に壁材を簡便な作業によって積重することができる。特に、壁材の両端面間の寸法、すなわち壁材の全長を、柱材間の距離と同一か、若しくは短くすれば、柱材の上方からではなく、柱材の途中から柱材間に壁材を配置することも可能となり、壁材の積重作業を、より一層、簡便化することができる。なお、壁材の全長が柱材間の距離よりも長い場合であっても、壁材の姿勢を斜めにすることで柱材間に壁材を入れ込むことができる程度の長さであれば、上述と同様に、柱材の途中から柱材間に壁材を配置することができる。
【０００９】
また、柱材と、柱材間に配置された壁材とを、連結部材によって連結するに際しては、壁材の装着溝が壁材の上面にて開放されているため、柱材の装着溝に連結部材の柱材側装着部を挿入した状態で連結部材を下降させ、壁材の上方から壁材の装着溝に連結部材の壁材側装着部を挿入すればよく、柱材及び壁材に連結部材を装着する作業は容易である。よって、上記構成の連結構造では、柱材間に壁材を積重するに際して、柱材及び壁材に連結部材を装着する作業を必要とするのであるが、この作業により、壁材を積重する全体の作業の簡便さを大きく損なうことはない。
【００１０】
さらに、上記構成の連結構造では、壁材の端部に、従来の連結構造のようにホゾを設ける必要がないので、壁材の材料を、従来の連結構造よりもホゾの分だけ短くすることができる。よって、木材資源の無用な消費を抑制することができる。
【００１１】
上述した手段において、
「前記柱材の装着溝及び前記壁材の装着溝は、夫々、アリ溝状に形成されており、前記連結部材の柱材側装着部及び壁材側装着部は、夫々、柱材の装着溝または壁材の装着溝にアリ嵌合するアリ状に形成されていることを特徴とする木製構造物における柱材と壁材との連結構造」
としてもよい。
【００１２】
ここで、アリ溝状とは、溝の断面形状全体における適宜の部位において、開口部側が狭く、奥側が広い幅寸法となっている形状であり、例えば、鳩尾型、Ｔ字型、鍵穴型等の形状である。そして、このようなアリ溝状の装着溝にアリ嵌合するアリ状とは、装着溝の断面形状に略一致する断面形状に限らず、連結部材端部の断面形状全体における適宜の部位において、基端部側が狭く、先端部側が広い幅寸法となっている形状であり、装着溝に装着された状態で溝の開口部分から抜脱不能な形状であればよい。
【００１３】
上記構成の連結構造では、連結部材が柱材及び壁材の夫々にアリ嵌合する状態で装着されるため、この連結部材を介することで、柱材と壁材とを、相互にガタツキ難く堅固に連結することができる。特に、柱材の装着溝と連結部材の柱材側装着部との装着状態、及び、壁材の装着溝と連結部材の壁材側装着部との装着状態の双方を、僅かなクリアランスが確保された状態や、クリアランスのない圧入状態とすることで、柱材と壁材とを、より一層、ガタツキ難く堅固に連結することができる。
【００１４】
上述した手段において、
「前記壁材の装着溝は、壁材の下面側にて閉塞されていることを特徴とする木製構造物における柱材と壁材との連結構造」
としてもよい。
【００１５】
このように構成された連結構造では、壁材の装着溝が高さ方向に貫通せず、壁材の端部が、高さ方向全域に渡って壁材の厚さ方向に分断されない構造となる。よって、装着溝が高さ方向に貫通する壁材に比して、壁材の端部の強度を向上させることができる。しかも、装着溝の両側壁が、壁材の下面部分にて連結される構造となるため、装着溝の幅寸法に狂いが生じ難く、「装着溝を正確な寸法で形成することができる」といった利点も得ることができる。
【００１６】
また、壁材の装着溝が高さ方向に貫通しないことから、装着溝全体の長さは短くなる。よって、装着溝に装着される連結部材を短くすることができ、連結部材を木材により形成する場合に、長さを短くできる分だけ、木材資源の無用な消費を抑制することができる。
【００１７】
上述した手段において、
「前記柱材は、高さ方向に延設された案内部を有し、前記壁材は、前記案内部と係合して柱材及び壁材の各装着溝を位置合わせする係合部を有することを特徴とする木製構造物における柱材と壁材との連結構造」
としてもよい。
【００１８】
柱材と壁材とを連結するに際しては、柱材の側面に壁材の端面を衝合した状態で柱材の装着溝と壁材の装着溝とに連結部材を装着するため、連結部材の装着に先駆けて、柱材及び壁材の各装着溝を相互に位置合わせする作業を必要とする。これに対して、上記構成では、柱材の案内部に壁材の係合部を係合させることで、柱材及び壁材の各装着溝が相互に位置合わせされるため、柱材の装着溝と壁材の装着溝とを位置合する作業を別途に必要としない。よって、柱材と壁材とを連結する際の作業を簡便化することができる。
【００１９】
また、柱材の案内部は、高さ方向に沿って延設されているため、柱材間に積重される個々の壁材の係合部と的確に係合する。よって、積重される全ての壁材に対して、位置合わせを良好に行うことができる。
【００２０】
上述した手段において、
「前記壁材は、高さ方向に少なくとも二つの木製部材が組み付けられてなり、該壁材の前記装着溝は、高さ方向に組み付けられた複数の木製部材に渡って形成されていることを特徴とする木製構造物における柱材と壁材との連結構造」
としてもよい。
【００２１】
上記構成では、壁材の端部において、装着溝によって表裏に分断された部分が複数の木製部材によって構成されることになり、木目の異なる木材が組合された構造となる。よって、装着溝によって分断された部分が単一の木材により形成された壁材に比して、壁材の端部の強度を向上させることができる。
【発明の効果】
【００２２】
上述の通り、本発明によれば、柱材間に壁材を簡便な作業で積重することができ、しかも、木材の無用な消費を抑制できる木製構造物における柱材と壁材との連結構造を提供することができる。
【発明を実施するための最良の形態】
【００２３】
本発明に係る木製構造物における柱材と壁材との連結構造の実施形態を、以下に、図面に基づいて詳細に説明する。
【００２４】
図１に、本発明に係る木製構造物における柱材１０と壁材２０との連結構造の一例を示す。この連結構造は、離間して立設された複数の柱材１０と、各柱材１０間に積重された複数の壁材２０とを、連結部材５０を用いて連結する構造である。
【００２５】
図２に示すように、柱材１０は、全長に渡って貫通する中空部１５が形成されるように、所望の断面形状に成形加工された複数の木製部材１０ａ，１０ｂを一体化して構成されている。そして、柱材１０の側面には、高さ方向に沿って、アリ溝状、より具体的には断面が略鳩尾状の装着溝１３が凹設されており、この装着溝１３は、柱材１０の上端に開放されている。
【００２６】
一方、壁材２０も、全長に渡って貫通する中空部３５が形成されるように、所望の断面形状に成形加工された複数の木製部材３０，４０を一体化して構成されている。そして、壁材２０の端面には、高さ方向に沿って、アリ溝状、より具体的には断面が略Ｔ字状の装着溝２３が凹設されている。ここで、装着溝２３は、壁材２０の上面にて開放されてはいるものの、壁材２０の下面にて閉塞されており、壁材２０の上下に貫通せず、壁材２０の端部を全高に渡って壁材２０の厚さ方向に分断しないものとなっている。よって、装着溝２３を具備していても、壁材２０の端部の十分な強度が確保されている。
【００２７】
また、本例の壁材２０においては、高さ方向に複数の木製部材３０，４０が組み付けられており、装着溝２３は、高さ方向に組み付けられた複数の木製部材３０，４０に渡って形成されている。よって、壁材２０の端部では、木目の異なる木材が組合された構成となり、これによっても、壁材２０の端部の十分な強度が確保されている。
【００２８】
柱材１０と壁材２０とは、一端側に、柱材１０の装着溝１３に装着される柱材側装着部５１を有し、他端側に、壁材２０の装着溝２３に装着される壁材側装着部５２を有し、木材、樹脂、金属等の適宜の材質によって形成された連結部材５０によって連結されている。ここで、連結部材５０の柱材側装着部５１は、柱材１０の装着溝１３にアリ嵌合するアリ状、より具体的には柱材１０の装着溝１３と雌雄を反転した形状に形成されており、連結部材５０の壁材側装着部５２は、壁材２０の装着溝２３にアリ嵌合するアリ状、より具体的には壁材２０の装着溝２３と雌雄を反転した形状に形成されており、連結部材５０は、柱材１０及び壁材２０の双方に、ガタツキなく装着されている。よって、柱材１０と壁材２０とは、この連結部材５０によって、ガタツキなく堅固に連結されている。
【００２９】
柱材１０と壁材２０とを連結部材５０によって連結する作業では、柱材１０間に壁材２０を配置した状態で、柱材１０の上方から柱材１０の装着溝１３に連結部材５０の柱材側装着部５１を挿入し、柱材１０に沿って連結部材５０を下降させ、壁材２０の上方から壁材２０の装着溝２３に連結部材５０の壁材側装着部５２を挿入すればよい。また、本例では、壁材２０の装着溝２３が壁材２０の下面にて閉塞していることから、積重される複数の壁材２０の個々において、個別の連結部材５０が装着されるのであるが、壁材２０の装着溝２３を、壁材２０の上面及び下面の双方にて開放させた態様では、積重された壁材２０の各装着溝２３が相互に連通することになる。よって、このような態様では、積重された複数の壁材２０に渡って共通の連結部材５０を装着するようにしてもよい。
【００３０】
また、本例では、連結部材５０の柱材側装着部５１が柱材１０の装着溝１３にアリ嵌合することから、柱材１０の上端から連結部材５０を下降させなければなならない。よって、柱材１０に対して連結部材５０を円滑に下降させることができるように、連結部材５０の柱側装着部５１の形状を、柱材１０の装着溝１３に対して十分なクリアランスが確保された形状とするのが好適である。このような態様であっても、連結部材５０の形態として、壁材側装着部５２が壁材２０の装着溝２３に装着されると、柱材１０と壁材２０とを相互に引き付けるような形態に設定することで、柱材１０と壁材２０とのガタツキのない堅固な連結を実現することができる。
【００３１】
ところで、連結部材としては、上述に限らず、図３に示すような形態であってもよい。この連結部材６０は、幅方向に分割された別体の部材６０ａ，６０ｂと、部材６０ａ，６０ｂ間に介在されたクサビ６３からなるものであり、部材６０ａ，６０ｂ間にクサビ６３を打込むことにより、連結部材６０全体としての幅を拡幅するものである。すなわち、クサビ６３を打ち込む前では、柱材側装着部６１の全幅が、柱材１０の装着溝１３の開口部分よりも狭くなっており、柱材１０の装着溝１３に連結部材６０を、柱材１０の途中から装着することができるものである。なお、この連結部材６０では、クサビ６３を打ち込む前において、壁材側装着部６２の全幅も狭いことから、この壁材側装着部６２を壁材２０の上方から壁材２０の装着溝２３に装着する作業も簡便となる。
【００３２】
図２に示すように、柱材１０の側面には、柱材１０の高さ方向に沿って凹状の案内部１４が延設されている。一方、壁材２０の端面には、案内部１４と係合する、より具体的には凹凸嵌合する凸状の係合部２４が設けられている。そして、柱材１０の側面に壁材２０の端面を衝合した状態では、案内部１４と係合部２４との相互の係合によって、柱材１０の装着溝１３と壁材２０の装着溝２３とが位置合わせされる。よって、各装着溝１３，２３に連結部材５０を良好に装着することができる。
【００３３】
なお、案内部１４としては、凹状に限らず、凸状としてもよく、係合部２４としては、凸状に限らず、凹状としてもよい。また、案内部１４と係合部２４とは、柱材１０と壁材２０とを相互に位置合わせできる程度のものであればよいことから、大きな寸法の凹凸嵌合を要しないが、小さな寸法であり過ぎると、的確な位置合わせが実現できなくなる。一方で、大きな寸法であり過ぎると、柱材１０間の側方から壁材２０を入れ込み難くなり、柱材１０間への壁材２０の配置作業が煩雑となる。よって、凹凸嵌合の寸法は、１〜１０ｍｍ、好ましくは、２〜８ｍｍ、更に好ましくは、３〜５ｍｍに設定するのがよい。
【００３４】
また、図２に示すように、壁材２０は、上面に、壁材２０の長手方向に沿って凸状の上面案内部３８ａを備え、下面に、壁材２０の長手方向に沿って凹状の下面案内部３８ｂを備えている。すなわち、本例の壁材２０においては、積重される壁材２０同士において、一方の上面案内部３８ａに他方の下面案内部３８ｂが凹凸嵌合し、下側の壁材２０に対して上側の壁材２０が位置合わせされ、ガタツキ難く良好に積重される。なお、上面案内部３８ａを凹状とし、下面案内部３８ｂを凸状としてもよいが、上述のような態様が好適である。何故ならば、下側の部材が凸状であると、下側の部材が凹状である場合に比して、雨水等の水分が嵌合部の内部に侵入し難くなるからである。また、上面案内部３８ａ及び下面案内部３８ｂの相互の凹凸嵌合の寸法については、１〜１０ｍｍ、好ましくは、２〜８ｍｍ、更に好ましくは、３〜５ｍｍに設定するのがよい。何故ならば、寸法が小さ過ぎると、良好な位置合わせを実現できなくなる一方で、寸法が大き過ぎると、壁材２０自体の高さが大寸となり、壁材２０を構成する部材の無用な大型化を招くからである。
【００３５】
本例において、柱材１０及び壁材２０は、複数の木製部材を一体化してなるものであることは上述した通りである。次に、柱材１０及び壁材２０の構成について、図４に基いて詳述する。なお、柱材１０を構成する複数の木材１０ａ，１０ｂは、壁材２０を構成する複数の木材３０，４０（以下、一方の木製部材を「第１木製部材３０」、他方の木製部材を「第２木製部材４０」と称す）と同様に組み付けられている。よって、以下では、壁材２０の構成を詳述することで、柱材１０の構成についての説明を省略する。
【００３６】
壁材２０は、４つの木製部材、具体的には、一対の第１木材部材３０及び一対の第２木製部材４０を相互に組み付けて、全体として角柱状に形成されている。
【００３７】
一対の第１木製部材３０は、夫々、断面形状が略方形状に形成されており、互いに離間して対向配置されている。また、一対の第２木製部材４０は、夫々、断面形状が略方形状に形成されており、第１木製部材３０の離間方向に交差する方向、具体的には略直交する方向に互いに離間して対向配置されている。これにより、この壁材２０では、各第１木製部材３０の裏面と各第２木製部材４０の裏面とにより、壁材２０の全長に渡って貫通する略方形の中空部３５が構成されている。
【００３８】
なお、第２木製部材４０は、第１木製部材３０の側端面（図示では、上下の端面）と略面一となるように、一対の第１木製部材３０の間に埋設状に組み付けられている。よって、第１木製部材３０の表面側には、第２木製部材４０との接合線が露呈せず、建築物の表側に露呈する面に第１木製部材３０が配設されるように使用することで、この壁材２０を、建材としての外装材や内装材として好適に用いることができる。
【００３９】
次に、第１木製部材３０と第２木製部材４０との相互の組み付けについて説明する。
【００４０】
第１木製部材３０の裏面の中央部分は略凸状となっており、この略凸状部分の側面には、第１木製部材３０の幅方向に凹陥する凹部３１ｂ、及び、第１木製部材３０の幅方向に突出する凸部３１ａが、夫々、第１木製部材３０の長手方向全長に渡って延設されている。そして、これら凹部３１ｂ及び凸部３１ａにより被係止部３１が構成されている。一方、第２木製部材４０の裏面の両側部分には、第２木製部材４０の厚さ方向に凹陥し、第１木製部材３０の凸部３１ａと嵌合する凹部４１ｂ、及び、第２木製部材４０の厚さ方向に突出し、第１木製部材３０の凹部３１ｂと嵌合する凸部４１ａが、夫々、第２木製部材４０の長手方向全長に渡って延設されている。そして、これら凹部４１ｂ及び凸部４１ａにより、第１木製部材３０の被係止部３１を係止する係止部４１が構成されている。このように、第１木製部材３０と第２木製部材４０とには、夫々互いに係止し合う被係止部３１及び係止部４１が設けられており、対向配置された一対の第１木製部材３０の夫々は、その被係止部３１が、両側から取り付けられた一対の第２木製部材４０の係止部４１に係止されて、相互の移動が規制され、対向して離間した状態で固定される。
【００４１】
なお、本例のように、第１木製部材３０の被係合部３１を、凹部３１ｂ及び凸部３１ａの双方を有するものとして構成し、第２木製部材４０の係合部４１を、凸部４１ａ及び凹部４１ｂの双方を有するものとして構成するに限らず、被係合部３１または係合部４１の一方を、凹部３１ｂ，４１ｂを少なくとも有するものとして構成し、他方を、この凹部３１ｂ，４１ｂに嵌合する凸部４１ａ，３１ａを少なくとも有するものとして構成してもよく、或は、被係合部３１及び係合部４１を、凹凸嵌合ではなく、引掛けや挟持等の他の手法により係止を実現できる形態のものとしてもよい。また、係止部４１及び被係止部３１は、相互に係止し合うものであればよく、第１木製部材３０側を係止部、第２木製部材４０側を被係止部としてもよい。
【００４２】
一対の第１木製部材３０間に組み付けられた一対の第２木製部材４０は、そのままでは、不用意に外れてしまうため、第１木製部材３０及び第２木製部材４０の全体で、堅固に一体となった壁材２０とはならない。そこで、本例では、第１木製部材３０と第２木製部材４０との間にクサビ部材３７が設けられており、このクサビ部材３７により、第１木製部材３０からの第２木製部材４０の不用意な外れが防止されている。具体的には、以下の通りである。
【００４３】
第１木製部材３０の裏面の両側部分には、凹部３１ｂ及び凸部３１ａの凹陥及び突出方向とは異なる方向、より具体的には略直交する方向、である第１木製部材３０の厚さ方向に凹陥し、長手方向の全長に渡って延設された第１溝部３２が凹設されている。一方、第２木製部材４０の両側面には、第１木製部材３０の第１溝部３２と対向するように、凹部４１ｂ及び凸部４１ａの凹陥及び突出方向とは異なる方向、より具体的には略直交する方向、である第２木製部材４０の幅方向に凹陥し、長手方向の全長に渡って延設された第２溝部４２が凹設されている。そして、上記第１溝部３２と上記第２溝部４２とで、壁材２０の全長に渡って貫通する略方形状の孔部３６が構成されている。
【００４４】
この孔部３６には、孔部３６に充填されて硬化した樹脂により形成された部材や、予め孔部３６に応じた形状に形成され、壁材２０の長手方向から孔部３６に挿入された部材等、適宜の部材からなるクサビ部材３７が設けられている。そして、このクサビ部材３７によって、第１木製部材３０からの第２木製部材４０の不用意な外れが防止され、第１木製部材３０及び第２木製部材４０の全体で、堅固に一体化された壁材２０が形成されている。
【００４５】
なお、上述した手法に限らず、第１木製部材３０と第２木製部材４０とを、接着剤等によって接着したり、ボルトにより締結したり、釘止め等により一体化してもよく、さらには、上述の種々の手法を適宜組み合わせて一体化してもよい。
【００４６】
ところで、長尺状の複数の木製部材を組み付けて柱材１０や壁材２０を構成する場合、上述した案内部１４、係合部２４、上面案内部３８ａや下面案内部３８ｂ等の長手方向に凹状や凸状に設けられた部位を具備するものであれば、複数の木製部材の組み付けによって、上記部位を形成することができる。例えば、図５に、複数の木製部材１０ａ，１０ｂの組み付けによって凹状の案内部１４を設けた柱材１０の例を示す。この例では、離間して対向配置された一対の木製部材１０ａ間に、他の木製部材１０ｂを凹陥状態で組み付けて一体化することにより、一対の木製部材１０ａの裏面の一部と他の木製部材１０ｂの表面とによって、凹状の案内部１４が構成されている。このような態様では、長手方向に凹状や凸状の部位を形成するために、別途の成形加工を要しない、といった利点を得ることができる。
【図面の簡単な説明】
【００４７】
【図１】本発明に係る木製構造物における柱材と壁材との連結構造の一例を示す斜視図である。
【図２】図１に示した連結構造の要部拡大斜視図である。
【図３】連結部材の別例を示す平面図である。
【図４】壁材の一例を示す正面図である。
【図５】柱材の別例を示す要部平面図である。
【図６】従来の連結構造を示す斜視図である。
【符号の説明】
【００４８】
１０    柱材
１０ａ  木製部材
１０ｂ  木製部材
１３    装着溝
１４    案内部
１５    中空部
２０    壁材
２３    装着溝
２４    係合部
３０    第１木製部材
３１    被係止部
３１ａ  凸部
３１ｂ  凹部
３２    第１溝部
３５    中空部
３６    孔部
３７    クサビ部材
３８ａ  上面案内部
３８ｂ  下面案内部
４０    第２木製部材
４１    係止部
４１ａ  凸部
４１ｂ  凹部
４２    第２溝部
５０    連結部材
５１    柱材側装着部
５２    壁材側装着部
６０    連結部材
６０ａ  部材
６０ｂ  部材
６１    柱材側装着部
６２    壁材側装着部
６３    クサビ
【図１】
2005068841.tif 000003
【図２】
2005068841.tif 000004
【図３】
2005068841.tif 000005
【図４】
2005068841.tif 000006
【図５】
2005068841.tif 000007
【図６】
2005068841.tif 000008